【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
プリントヘッドを用い、プリント媒体にドット形成位置条件を異ならせた第１および第２プリントにより画像のプリントを行うプリント装置に対し、前記第１および第２プリントでのプリント位置合わせを行うための処理を行うプリント位置合わせ方法であって、
前記第１プリントおよび第２プリントにより形成されるパターンであって、該第１プリントに対する前記第２プリントの相対的なプリント位置のずれの方向が異なる第１パターンおよび第２パターンを複数のずれ量に対応してそれぞれ形成するパターン形成工程と、
当該形成された前記複数の第１パターンのそれぞれの光学特性および前記複数の第２パターンのそれぞれの光学特性を測定する測定工程と、
当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得工程と、
を具えたことを特徴とするプリント位置合わせ方法。
【請求項２】
プリントヘッドを用い、プリント媒体にドット形成位置条件を異ならせた第１および第２プリントにより画像のプリントを行うプリント装置に対し、前記第１および第２プリントでのプリント位置合わせを行うための処理を行うプリント位置合わせ方法であって、
前記第１プリントおよび第２プリントにより形成されるパターンであって、該第１プリントに対する前記第２プリントの相対的なプリント位置の複数のずれ量に対応してそれぞれ形成され、該複数のずれ量に対応してそれぞれ光学特性を示す複数の第１パターンを前記プリントヘッドに形成させる第１パターン形成工程と、
前記第１プリントに対する前記第２プリントの相対的なずれ量をそれぞれ前記複数の第１パターンとは反転させた複数の第２パターンを前記プリントヘッドに形成させる第２パターン形成工程と、
当該形成された前記複数の第１パターンのそれぞれの光学特性および前記複数の第２パターンのそれぞれの光学特性を測定する測定工程と、
当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得工程と、
を具えたことを特徴とするプリント位置合わせ方法。
【請求項３】
前記第１プリントおよび前記第２プリントは、前記プリントヘッドを前記プリント媒体に対して往復走査させてプリントを行う場合のそれぞれ往走査および復走査でのプリント、複数の前記プリントヘッドのうちそれぞれ第１のプリントヘッドによるプリントおよび第２のプリントヘッドによるプリントであって前記第１および第２プリントヘッドが前記プリント媒体に対して相対的に走査される方向に関してのプリント、および複数の前記プリントヘッドのうちそれぞれ第１のプリントヘッドによるプリントおよび第２のプリントヘッドによるプリントであって前記第１および第２プリントヘッドが前記プリント媒体に対して相対的に走査される方向とは異なる方向に関してのプリントの、少なくとも一つを含むことを特徴とする請求項１または２に記載のプリント位置合わせ方法。
【請求項４】
前記調整値取得工程は、前記測定工程により得られた前記複数の第１パターンの光学特性データおよび前記複数の第２パターンの光学特性データより、直線近似または多項式近似を用いてそれぞれ連続的な前記変化特性を得て、前記調整値を算出することを特徴とする請求項１ないし３のいずれかに記載のプリント位置合わせ方法。
【請求項５】
前記調整値取得工程は、前記複数の第１および第２パターンについて測定されるそれぞれの光学特性としての濃度に基づいて連続的な濃度分布を前記変化特性として求めることを特徴とする請求項１ないし４のいずれかに記載のプリント位置合わせ方法。
【請求項６】
前記調整値取得工程は、前記プリント位置合わせ条件より細かいピッチのプリント位置パラメータまたは前記プリント位置合わせ条件と異なるプリント位置パラメータも含めて、プリント位置合わせ条件を算出する工程を有することを特徴とする請求項１ないし５のいずれかに記載のプリント位置合わせ方法。
【請求項７】
前記パターン形成に際しては、プリント装置が制御可能なプリント位置のピッチよりも緩和されたピッチでのパターン形成を行うことを特徴とする請求項１ないし６のいずれかに記載のプリント位置合わせ方法。
【請求項８】
前記パターン形成工程では、前記第１プリントによるドットと前記第２プリントによるドットを配し、前記複数のずれ量に対応して前記ドット相互の位置関係を変化させて当該ドットのプリント媒体を覆う比率を変化させることにより、前記ずれ量に応じた光学特性を示す複数のパターンを形成させることを特徴とする請求項１ないし７のいずれかに記載のプリント位置合わせ方法。
【請求項９】
プリントヘッドを用い、プリント媒体にドット形成位置条件を異ならせた第１および第２プリントにより画像のプリントを行うプリント装置であって、
前記第１プリントおよび第２プリントにより形成されるパターンであって、該第１プリントに対する前記第２プリントの相対的なプリント位置のずれの方向が異なる第１パターンおよび第２パターンを複数のずれ量に対応してそれぞれ形成するパターン形成手段と、
当該形成された前記複数の第１パターンのそれぞれの光学特性および前記複数の第２パターンのそれぞれの光学特性を測定する測定手段と、
当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得手段と、
を具えたことを特徴とするプリント装置。
【請求項１０】
プリントヘッドを用い、プリント媒体にドット形成位置条件を異ならせた第１および第２プリントにより画像のプリントを行うプリント装置であって、
前記第１プリントおよび第２プリントにより形成されるパターンであって、該第１プリントに対する前記第２プリントの相対的なプリント位置の複数のずれ量に対応してそれぞれ形成され、該複数のずれ量に対応してそれぞれ光学特性を示す複数の第１パターンを前記プリントヘッドに形成させる第１パターン形成手段と、
前記第１プリントに対する前記第２プリントの相対的なずれ量をそれぞれ前記複数の第１パターンとは反転させた複数の第２パターンを前記プリントヘッドに形成させる第２パターン形成手段と、
当該形成された前記複数の第１パターンのそれぞれの光学特性および前記複数の第２パターンのそれぞれの光学特性を測定する測定手段と、
当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得手段と、
を具えたことを特徴とするプリント装置。
【請求項１１】
前記第１プリントおよび前記第２プリントは、前記プリントヘッドを前記プリント媒体に対して往復走査させてプリントを行う場合のそれぞれ往走査および復走査でのプリント、複数の前記プリントヘッドのうちそれぞれ第１のプリントヘッドによるプリントおよび第２のプリントヘッドによるプリントであって前記第１および第２プリントヘッドが前記プリント媒体に対して相対的に走査される方向に関してのプリント、および複数の前記プリントヘッドのうちそれぞれ第１のプリントヘッドによるプリントおよび第２のプリントヘッドによるプリントであって前記第１および第２プリントヘッドが前記プリント媒体に対して相対的に走査される方向とは異なる方向に関してのプリントの、少なくとも一つを含むことを特徴とする請求項９または１０に記載のプリント装置。
【請求項１２】
前記調整値取得手段は、前記測定手段により得られた前記複数の第１パターンの光学特性データおよび前記複数の第２パターンの光学特性データより、直線近似または多項式近似を用いてそれぞれ連続的な前記変化特性を得て、前記調整値を算出することを特徴とする請求項９ないし１１のいずれかに記載のプリント装置。
【請求項１３】
前記調整値取得手段は、前記複数の第１および第２パターンについて測定されるそれぞれの光学特性としての濃度に基づいて連続的な濃度分布を前記変化特性として求めることを特徴とする請求項９ないし１２のいずれかに記載のプリント装置。
【請求項１４】
前記調整値取得手段は、前記プリント位置合わせ条件より細かいピッチのプリント位置パラメータまたは前記プリント位置合わせ条件と異なるプリント位置パラメータも含めて、プリント位置合わせ条件を算出する手段を有することを特徴とする請求項９ないし１３のいずれかに記載のプリント装置。
【請求項１５】
プリントヘッドを用い、プリント媒体にドット形成位置条件を異ならせた第１および第２プリントにより画像のプリントを行うプリント装置と、該プリント装置に対して前記画像のデータを供給するホスト装置とを具備したプリントシステムであって、
前記第１プリントおよび第２プリントにより形成されるパターンであって、該第１プリントに対する前記第２プリントの相対的なプリント位置のずれの方向が異なる第１パターンおよび第２パターンを複数のずれ量に対応してそれぞれ形成するパターン形成手段と、
当該形成された前記複数の第１パターンのそれぞれの光学特性および前記複数の第２パターンのそれぞれの光学特性を測定する測定手段と、
当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得手段と、
を具えたことを特徴とするプリントシステム。
【請求項１６】
プリントヘッドを用い、プリント媒体にドット形成位置条件を異ならせた第１および第２プリントにより画像のプリントを行うプリント装置と、該プリント装置に対して前記画像のデータを供給するホスト装置とを具備したプリントシステムであって、
前記第１プリントおよび第２プリントにより形成されるパターンであって、該第１プリントに対する前記第２プリントの相対的なプリント位置の複数のずれ量に対応してそれぞれ形成され、該複数のずれ量に対応してそれぞれ光学特性を示す複数の第１パターンを前記プリントヘッドに形成させる第１パターン形成手段と、
前記第１プリントに対する前記第２プリントの相対的なずれ量をそれぞれ前記複数の第１パターンとは反転させた複数の第２パターンを前記プリントヘッドに形成させる第２パターン形成手段と、
当該形成された前記複数の第１パターンのそれぞれの光学特性および前記複数の第２パターンのそれぞれの光学特性を測定する測定手段と、
当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得手段と、
を具えたことを特徴とするプリントシステム。
【請求項１７】
前記第１プリントおよび前記第２プリントは、前記プリントヘッドを前記プリント媒体に対して往復走査させてプリントを行う場合のそれぞれ往走査および復走査でのプリント、複数の前記プリントヘッドのうちそれぞれ第１のプリントヘッドによるプリントおよび第２のプリントヘッドによるプリントであって前記第１および第２プリントヘッドが前記プリント媒体に対して相対的に走査される方向に関してのプリント、および複数の前記プリントヘッドのうちそれぞれ第１のプリントヘッドによるプリントおよび第２のプリントヘッドによるプリントであって前記第１および第２プリントヘッドが前記プリント媒体に対して相対的に走査される方向とは異なる方向に関してのプリントの、少なくとも一つを含むことを特徴とする請求項１５または１６に記載のプリントシステム。
【請求項１８】
前記調整値取得手段は、前記測定手段により得られた前記複数の第１パターンの光学特性データおよび前記複数の第２パターンの光学特性データより、直線近似または多項式近似を用いてそれぞれ連続的な前記変化特性を得て、前記調整値を算出することを特徴とする請求項１５ないし１７のいずれかに記載のプリントシステム。
【請求項１９】
前記調整値取得手段は、前記複数の第１および第２パターンについて測定されるそれぞれの光学特性としての濃度に基づいて連続的な濃度分布を前記変化特性として求めることを特徴とする請求項１５ないし１８のいずれかに記載のプリントシステム。
【請求項２０】
前記調整値取得手段は、前記プリント位置合わせ条件より細かいピッチのプリント位置パラメータまたは前記プリント位置合わせ条件と異なるプリント位置パラメータも含めて、プリント位置合わせ条件を算出する手段を有することを特徴とする請求項１５ないし１９のいずれかに記載のプリントシステム。
【手続補正２】
【補正対象書類名】明細書
【補正対象項目名】００２９
【補正方法】変更
【補正の内容】
【００２９】
【課題を解決するための手段】
そのために、本発明は、プリントヘッドを用い、プリント媒体にドット形成位置条件を異ならせた第１および第２プリントにより画像のプリントを行うプリント装置に対し、前記第１および第２プリントでのプリント位置合わせを行うための処理を行うプリント位置合わせ方法であって、前記第１プリントおよび第２プリントにより形成されるパターンであって、該第１プリントに対する前記第２プリントの相対的なプリント位置のずれの方向が異なる第１パターンおよび第２パターンを複数のずれ量に対応してそれぞれ形成するパターン形成工程と、当該形成された前記複数の第１パターンのそれぞれの光学特性および前記複数の第２パターンのそれぞれの光学特性を測定する測定工程と、当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得工程と、を具えたことを特徴とする。
【手続補正３】
【補正対象書類名】明細書
【補正対象項目名】００３０
【補正方法】変更
【補正の内容】
【００３０】
また、本発明は、プリントヘッドを用い、プリント媒体にドット形成位置条件を異ならせた第１および第２プリントにより画像のプリントを行うプリント装置に対し、前記第１および第２プリントでのプリント位置合わせを行うための処理を行うプリント位置合わせ方法であって、前記第１プリントおよび第２プリントにより形成されるパターンであって、該第１プリントに対する前記第２プリントの相対的なプリント位置の複数のずれ量に対応してそれぞれ形成され、該複数のずれ量に対応してそれぞれ光学特性を示す複数の第１パターンを前記プリントヘッドに形成させる第１パターン形成工程と、前記第１プリントに対する前記第２プリントの相対的なずれ量をそれぞれ前記複数の第１パターンとは反転させた複数の第２パターンを前記プリントヘッドに形成させる第２パターン形成工程と、当該形成された前記複数の第１パターンのそれぞれの光学特性および前記複数の第２パターンのそれぞれの光学特性を測定する測定工程と、当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得工程と、を具えたことを特徴とする。
【手続補正４】
【補正対象書類名】明細書
【補正対象項目名】００３１
【補正方法】変更
【補正の内容】
【００３１】
また、本発明は、プリントヘッドを用い、プリント媒体にドット形成位置条件を異ならせた第１および第２プリントにより画像のプリントを行うプリント装置であって、前記第１プリントおよび第２プリントにより形成されるパターンであって、該第１プリントに対する前記第２プリントの相対的なプリント位置のずれの方向が異なる第１パターンおよび第２パターンを複数のずれ量に対応してそれぞれ形成するパターン形成手段と、当該形成された前記複数の第１パターンのそれぞれの光学特性および前記複数の第２パターンのそれぞれの光学特性を測定する測定手段と、当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得手段と、を具えたことを特徴とする。
【手続補正５】
【補正対象書類名】明細書
【補正対象項目名】００３２
【補正方法】変更
【補正の内容】
【００３２】
また、本発明は、プリントヘッドを用い、プリント媒体にドット形成位置条件を異ならせた第１および第２プリントにより画像のプリントを行うプリント装置であって、前記第１プリントおよび第２プリントにより形成されるパターンであって、該第１プリントに対する前記第２プリントの相対的なプリント位置の複数のずれ量に対応してそれぞれ形成され、該複数のずれ量に対応してそれぞれ光学特性を示す複数の第１パターンを前記プリントヘッドに形成させる第１パターン形成手段と、前記第１プリントに対する前記第２プリントの相対的なずれ量をそれぞれ前記複数の第１パターンとは反転させた複数の第２パターンを前記プリントヘッドに形成させる第２パターン形成手段と、当該形成された前記複数の第１パターンのそれぞれの光学特性および前記複数の第２パターンのそれぞれの光学特性を測定する測定手段と、当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得手段と、を具えたことを特徴とする。
【手続補正６】
【補正対象書類名】明細書
【補正対象項目名】００３３
【補正方法】変更
【補正の内容】
【００３３】
さらに、本発明は、プリントヘッドを用い、プリント媒体にドット形成位置条件を異ならせた第１および第２プリントにより画像のプリントを行うプリント装置と、該プリント装置に対して前記画像のデータを供給するホスト装置とを具備したプリントシステムであって、前記第１プリントおよび第２プリントにより形成されるパターンであって、該第１プリントに対する前記第２プリントの相対的なプリント位置のずれの方向が異なる第１パターンおよび第２パターンを複数のずれ量に対応してそれぞれ形成するパターン形成手段と、当該形成された前記複数の第１パターンのそれぞれの光学特性および前記複数の第２パターンのそれぞれの光学特性を測定する測定手段と、当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得手段と、を具えたことを特徴とする。
【手続補正７】
【補正対象書類名】明細書
【補正対象項目名】００３４
【補正方法】変更
【補正の内容】
【００３４】
加えて、本発明は、プリントヘッドを用い、プリント媒体にドット形成位置条件を異ならせた第１および第２プリントにより画像のプリントを行うプリント装置と、該プリント装置に対して前記画像のデータを供給するホスト装置とを具備したプリントシステムであって、前記第１プリントおよび第２プリントにより形成されるパターンであって、該第１プリントに対する前記第２プリントの相対的なプリント位置の複数のずれ量に対応してそれぞれ形成され、該複数のずれ量に対応してそれぞれ光学特性を示す複数の第１パターンを前記プリントヘッドに形成させる第１パターン形成手段と、前記第１プリントに対する前記第２プリントの相対的なずれ量をそれぞれ前記複数の第１パターンとは反転させた複数の第２パターンを前記プリントヘッドに形成させる第２パターン形成手段と、当該形成された前記複数の第１パターンのそれぞれの光学特性および前記複数の第２パターンのそれぞれの光学特性を測定する測定手段と、当該測定された前記複数の第１パターンの光学特性の変化特性および前記複数の第２パターンの光学特性の変化特性に基づいて、前記第１プリントと前記第２プリントとの間のドット形成位置条件の調整値を得る調整値取得手段と、を具えたことを特徴とする。